(57)【要約】      （修正有）【課題】切断予定線の両脇に端子が並んだマザーパネルでも電気的に分離することが可能な表示装置の製造方法を提供する。【解決手段】マザーパネルは、第２表示パネル領域と隣接する第１表示パネル領域の縁部で前記切断予定線に沿って並んだ複数の第１端子２１と、前記第１表示パネル領域と隣接する前記第２表示パネル領域の縁部で前記切断予定線に沿って並んだ複数の第２端子２２と、前記切断予定線９を第１横断位置で横断し、前記複数の第１端子の１つと前記複数の第２端子の１つとを電気的に接続する第１接続線と、前記切断予定線を前記第１横断位置と離れた第２横断位置で横断し、前記複数の第１端子の前記１つと前記複数の第２端子の前記１つの隣の１つとを電気的に接続する第２接続線と、を含む。【選択図】図３
2019015902.tif 000002
【特許請求の範囲】
【請求項１】
切断予定線を挟んで隣接する第１表示パネル領域と第２表示パネル領域とを含むマザーパネルであって、
前記第２表示パネル領域と隣接する前記第１表示パネル領域の縁部で前記切断予定線に沿って並んだ複数の第１端子と、
前記第１表示パネル領域と隣接する前記第２表示パネル領域の縁部で前記切断予定線に沿って並んだ複数の第２端子と、
前記切断予定線を第１横断位置で横断し、前記複数の第１端子の１つと前記複数の第２端子の１つとを電気的に接続する第１接続線と、
前記切断予定線を前記第１横断位置と離れた第２横断位置で横断し、前記複数の第１端子の前記１つと前記複数の第２端子の前記１つの隣の１つとを電気的に接続する第２接続線と、
を含むマザーパネルを用意する工程と、
前記マザーパネルを前記切断予定線で切断する工程と、
を含む、表示装置の製造方法。
【請求項２】
前記第２接続線は、前記切断予定線を複数回横断する、
請求項１に記載の表示装置の製造方法。
【請求項３】
前記第２接続線は、前記切断予定線を３以上の奇数回横断する、
請求項１に記載の表示装置の製造方法。
【請求項４】
前記第２接続線は、矩形波状に形成される、
請求項２又は３に記載の表示装置の製造方法。
【請求項５】
前記第２接続線は、三角波状に形成される、
請求項２又は３に記載の表示装置の製造方法。
【請求項６】
前記第２接続線は、前記第１端子側に他の山部よりも張り出した第１山部と、前記第２端子側に他の山部よりも張り出した第２山部とを含む、
請求項５に記載の表示装置の製造方法。
【請求項７】
樹脂膜中に導電粒子を含んだ異方性導電膜を介して前記複数の第１端子にフレキシブルプリント基板を接続する工程をさらに含み、
前記第２接続線の前記切断予定線を横断する間隔は、前記導電粒子の平均粒径の２倍よりも大きい、
請求項２又は３に記載の表示装置の製造方法。
【請求項８】
前記マザーパネルは、前記第１表示パネル領域に対して前記第２表示パネル領域とは逆側で前記第１表示パネル領域と他の切断予定線を挟んで隣接する第３表示パネル領域をさらに含み、
前記マザーパネルは、
前記第３表示パネル領域と隣接する前記第１表示パネル領域の縁部で前記他の切断予定線に沿って並んだ複数の第３端子と、
前記第１表示パネル領域と隣接する前記第３表示パネル領域の縁部で前記他の切断予定線に沿って並んだ複数の第４端子と、
前記他の切断予定線を第３横断位置で横断し、前記複数の第３端子の１つと前記複数の第４端子の１つとを電気的に接続する第３接続線と、
前記他の切断予定線を前記第３横断位置と離れた第４横断位置で横断し、前記複数の第３端子の前記１つと前記複数の第４端子の前記１つの隣の１つとを電気的に接続する第４接続線と、
をさらに含む、
請求項１に記載の表示装置の製造方法。
【請求項９】
前記第１接続線は前記第１端子及び前記第２端子に接続され、前記第２接続線は前記第１接続線に接続される、
請求項１に記載の表示装置の製造方法。
【請求項１０】
前記第１端子及び前記第２端子は、前記第１接続線及び前記第２接続線を覆う絶縁膜上に形成される、
請求項１に記載の表示装置の製造方法。
【請求項１１】
前記第１接続線及び前記第２接続線は、半導体で形成される、
請求項１に記載の表示装置の製造方法。
【請求項１２】
表示パネルの縁部で端面に沿って並んだ複数の第１端子と、
前記複数の第１端子の１つと電気的に接続され、前記端面まで延び、第１出現位置で前記端面に出現する第１接続線と、
前記複数の第１端子の前記１つと電気的に接続され、前記端面まで延び、前記第１出現位置と離れた第２出現位置で前記端面に出現する第２接続線と、
を含む表示装置。
【請求項１３】
前記複数の第１端子に電気的に接続されず、前記複数の第１端子と前記端面との間で折り返され、両端が前記端面に出現する非接続線をさらに含む、
請求項１２に記載の表示装置。
【請求項１４】
前記表示パネルの前記縁部とは逆側の縁部で端面に沿って並んだ複数の第２端子と、
前記複数の第２端子の１つと電気的に接続され、当該端面まで延び、第３出現位置で当該端面に出現する第３接続線と、
前記複数の第２端子の前記１つと電気的に接続され、当該端面まで延び、前記第３出現位置と離れた第４出現位置で当該端面に出現する第４接続線と、
をさらに含む、請求項１２に記載の表示装置。
【発明の詳細な説明】
【技術分野】
【０００１】
本発明は、表示装置の製造方法、及び表示装置に関する。
【背景技術】
【０００２】
表示パネルの縁部には、外部から信号を入力するための複数の端子が設けられている。これらの端子は、製造時に静電気放電（ＥＳＤ）を防ぐためのショートリングによって同電位にされる。
【発明の概要】
【発明が解決しようとする課題】
【０００３】
ところで、表示パネルとして切り出される複数の表示パネル領域を含むマザーパネルでは、切断予定線の両脇に端子が設けられることがある。例えば上下２つの縁部に端子を振り分けた分割駆動の表示パネルのマザーパネルで、そのように設けられる。
【０００４】
しかしながら、切断予定線の両脇に端子が並んだマザーパネルには、従来のショートリングを適用することができない。すなわち、従来のショートリングでは、マザーパネルを切断予定線で切断しても、切り離される２つの表示パネルの一方において端子を互いに電気的に分離することができない。
【０００５】
本発明は、上記課題に鑑みてなされたものであって、その目的は、切断予定線の両脇に端子が並んだマザーパネルであっても、それらの端子を電気的に接続し、且つ切断に伴って電気的に分離することが可能な表示装置の製造方法、及び表示装置を提供することにある。
【課題を解決するための手段】
【０００６】
上記課題を解決するため、本発明の表示装置の製造方法は、切断予定線を挟んで隣接する第１表示パネル領域と第２表示パネル領域とを含むマザーパネルを用意する工程と、前記マザーパネルを前記切断予定線で切断する工程と、を含む。前記マザーパネルは、前記第２表示パネル領域と隣接する前記第１表示パネル領域の縁部で前記切断予定線に沿って並んだ複数の第１端子と、前記第１表示パネル領域と隣接する前記第２表示パネル領域の縁部で前記切断予定線に沿って並んだ複数の第２端子と、前記切断予定線を第１横断位置で横断し、前記複数の第１端子の１つと前記複数の第２端子の１つとを電気的に接続する第１接続線と、前記切断予定線を前記第１横断位置と離れた第２横断位置で横断し、前記複数の第１端子の前記１つと前記複数の第２端子の前記１つの隣の１つとを電気的に接続する第２接続線と、を含む。
【０００７】
また、本発明の表示装置は、表示パネルの縁部で端面に沿って並んだ複数の第１端子と、前記複数の第１端子の１つと電気的に接続され、前記端面まで延び、第１出現位置で前記端面に出現する第１接続線と、前記複数の第１端子の前記１つと電気的に接続され、前記端面まで延び、前記第１出現位置と離れた第２出現位置で前記端面に出現する第２接続線と、を含む。
【図面の簡単な説明】
【０００８】
【図１】マザーパネルを示す平面図である。
【図２】マザーパネルに含まれる２つの表示パネル領域の拡大図である。
【図３】切断予定線近傍を拡大した、第１例に係るショートリングの回路図である。
【図４】図３に示す表示パネル領域を切り出した表示パネルの縁部にＦＰＣを取り付けた状態を示す図である。
【図５】図４に示すＶ−Ｖ線で切断したときの断面図である。
【図６】図４に示すＶＩ−ＶＩ線で切断したときの断面図である。
【図７】切断予定線近傍を拡大した、第２例に係るショートリングの回路図である。
【図８】図７に示す表示パネル領域を切り出した表示パネルの縁部にＦＰＣを取り付けた状態を示す図である。
【図９】変形例に係るショートリングを示す回路図である。
【図１０】変形例に係るショートリングを示す回路図である。
【図１１】変形例に係るショートリングを示す回路図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実施の形態に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
さらに、本発明の実施形態の詳細な説明において、ある構成物と他の構成物の位置関係を規定する際、「上に」「下に」とは、ある構成物の直上あるいは直下に位置する場合のみでなく、特に断りの無い限りは、間にさらに他の構成物を介在する場合を含むものとする。
【００１１】
以下の説明では、表示装置の例として、有機発光ダイオードを表示素子として含む有機ＥＬ表示装置を挙げる。
【００１２】
図１は、マザーパネル１００を示す平面図である。図２は、マザーパネル１００に含まれる２つの表示パネル領域１Ａ，１Ｂの拡大図である。マザーパネル１００は、パネル用意工程によって用意される。パネル用意工程では、例えばガラス、又はポリイミド等の可撓性がある樹脂からなる透明基板上に絶縁膜及び導体層などが積層される。
【００１３】
図１に示すように、マザーパネル１００は複数の表示パネル領域１を含んでいる。表示パネル領域１は、マザーパネル１００から切り出されることにより表示パネルとなる領域である。表示パネル領域１は２次元状に配列しており、切断予定線９を挟んで隣接している。すなわち、表示パネル領域１は切断予定線９によって区画されている。
【００１４】
切断予定線９は、マザーパネル１００に実在する線ではなく、パネル切断工程において切断されることが予定される想像線である。
【００１５】
図２に示すように、マザーパネル１００に含まれる各々の表示パネル領域１は、表示領域１０と、それを囲む４つの縁部１３，１５，１７，１９とを備えている。表示領域１０は、例えば赤、緑及び青からなる複数色の単位画素（サブピクセル）を組み合わせてフルカラーの画素を形成し、フルカラーの画像を表示するようになっている。
【００１６】
以下の説明では、表示領域１０に対して縁部１３が位置する方向を下方向、表示領域１０に対して縁部１５が位置する方向を上方向、表示領域１０に対して縁部１７が位置する方向を左方向、表示領域１０に対して縁部１９が位置する方向を右方向という。
【００１７】
マザーパネル１００では、複数の表示パネル領域１が上下方向と左右方向とにそれぞれ配列している。図２は、マザーパネル１００に含まれる複数の表示パネル領域１のうち、上下方向に並ぶ２つの表示パネル領域１Ａ，１Ｂのみを拡大して示している。表示パネル領域１Ａは第１表示パネル領域の例であり、表示パネル領域１Ｂ第２表示パネル領域の例である。
【００１８】
表示パネル領域１Ａ，１Ｂは、切断予定線９を挟んで上下方向に隣接している。具体的には、表示パネル領域１Ａの下側の縁部１３と表示パネル領域１Ｂの上側の縁部１５とが切断予定線９を挟んで隣接している。
【００１９】
表示パネル領域１Ａ，１Ｂは、下側の縁部１３に切断予定線９に沿って並んだ複数の端子２１（以下、第１端子２１ともいう）を有しており、上側の縁部１５に切断予定線９に沿って並んだ複数の端子２２（以下、第２端子２２ともいう）を有している。端子２１，２２には、パネル切断工程後のＦＰＣ接続工程においてＦＰＣ（フレキシブルプリント基板）が接続される。
【００２０】
すなわち、本実施形態では、上下２つの縁部１３，１５に端子２１，２２を振り分けた分割駆動の表示パネルが採用されている。下側の縁部１３に設けられた表示領域１０の下半分を駆動するための第１端子２１と、上側の縁部１５に設けられた表示領域１０の上半分を駆動するための第２端子２２とを使用し、表示領域１０の下半分と上半分とを同時に書込むことで、高解像度の画面であっても画素の書込み時間を確保することを可能としている。
【００２１】
このため、本実施形態のマザーパネル１００では、切断予定線９の両脇に端子２１，２２が並んでいる。すなわち、切断予定線９の上方に表示パネル領域１Ａの第１端子２１が並んでおり、切断予定線９の下方に表示パネル領域１Ｂの第２端子２２が並んでいる。
【００２２】
以下に説明するように、本実施形態では、マザーパネル１００の状態においてはこれらの端子２１，２２を電気的に接続し、マザーパネル１００の切断に伴ってこれらの端子２１，２２を電気的に分離するためのショートリング３が設けられている。
【００２３】
まず、第１例に係るショートリング３Ａについて説明する。図３は、切断予定線９近傍を拡大した、ショートリング３Ａの回路図である。図４は、図３に示す表示パネル領域１Ａを切り出した表示パネル１Ｚの縁部１３にＦＰＣ７を取り付けた状態を示す図である。図５は、図４に示すＶ−Ｖ線で切断したときの断面図である。図６は、図４に示すＶＩ−ＶＩ線で切断したときの断面図である。
【００２４】
表示パネル領域１Ａの第１端子２１は切断予定線９から上方に離れており、表示パネル領域１Ｂの第２端子２２は切断予定線９から下方に離れている。ショートリング３Ａは、第１端子２１と第２端子２２との間の領域で切断予定線９を繰り返し横断するように設けられている。
【００２５】
ショートリング３Ａは、第１端子２１の１つと第２端子２２の１つとを電気的に接続する第１接続線３１３と、第１端子２１の当該１つと第２端子２２の当該１つの隣の１つとを電気的に接続する第２接続線３２と、を含む組を最小単位として、当該組を繰り返し含んでいる。
【００２６】
第１接続線３１は、切断予定線９を横断し、第１端子２１とそれに最も近い第２端子２２とを電気的に接続している。具体的には、第１接続線３１は、対向する第１端子２１と第２端子２２とを電気的に接続している。第１接続線３１は、対向する第１端子２１と第２端子２２との間で上下方向に延びており、第１接続線３１が切断予定線９を横断する横断位置は、対向する第１端子２１と第２端子２２との間に位置している。第１接続線３１の各端は、対向する第１端子２１と第２端子２２とにそれぞれ物理的に接続されており、これにより、対向する第１端子２１と第２端子２２とが第１接続線３１を介して電気的に接続されている。
【００２７】
第２接続線３２は、切断予定線９を横断し、第１端子２１とそれに最も近い第２端子２２の隣の第２端子２２とを電気的に接続している。具体的には、第２接続線３２は、第１端子２１とそれに対向する第２端子２２の隣の第２端子２２とを電気的に接続している。第２接続線３２が切断予定線９を横断する横断位置は、第１接続線３１が切断予定線９を横断する横断位置から左右方向に離れている。第２接続線３２の各端は、第１接続線３１とその隣の第１接続線３１とにそれぞれ物理的に接続されており、これにより、第１端子２１とそれに対向する第２端子２２の隣の第２端子２２とが第２接続線３２を介して電気的に接続されている。
【００２８】
第２接続線３２は、蛇行しながら左右方向に延び、すなわち上下方向に往復しながら左右方向に延びて、切断予定線９を複数回横断している。本例では、第２接続線３２は矩形波状に形成されている。第２接続線３２が切断予定線９を横断する横断位置は複数個存在し、互いに左右方向に離れている。具体的には、第２接続線３２は、切断予定線９を３以上の奇数回横断している。このため、第２接続線３２の両端は、切断予定線９に対して互いに逆側に位置している。これに限らず、第２接続線３２は、切断予定線９を１回のみ横断してもよいし、偶数回横断してもよい。
【００２９】
第２接続線３２は、切断予定線９から上方への振幅と下方への振幅とが互いに等しくなるように設けられている。すなわち、第２接続線３２は、上側の頂部と下側の頂部との中間を切断予定線９が通るように設けられている。本例において第２接続線３２の頂部は、矩形波状に形成された第２接続線３２のうちの左右方向に延びる線分である。第２接続線３２の上側の頂部は切断予定線９よりも第１端子２１に近く、第２接続線３２の下側の頂部は切断予定線９よりも第２端子２２に近い。第２接続線３２は、頂部において第１接続線３１に接続されている。
【００３０】
図４乃至図６に示すように、パネル切断工程においてマザーパネル１００から切り出された表示パネル１Ｚの下側の縁部１３に設けられた第１端子２１には、ＦＰＣ接続工程においてＦＰＣ７が接続される。上側の縁部１５に設けられた第２端子２２にも、同様にＦＰＣ（不図示）が接続される。
【００３１】
ＦＰＣ７は、樹脂基材７３の一方の面に端子７１を有している。表示パネル１Ｚに設けられた第１端子２１とＦＰＣ７に設けられた端子７１とは層厚方向に対向し、異方性導電膜８を介して接続される。異方性導電膜８は、樹脂膜８１中に複数の導電粒子８３を含んでおり、面内方向に絶縁性を発揮する一方で層厚方向に導電性を発揮する。異方性導電膜８は、表示パネル１Ｚの外縁よりも外側にはみ出し、表示パネル１Ｚの端面１４の一部を覆う（図６を参照）。
【００３２】
表示パネル１Ｚの下側の縁部１３には端面１４に沿って複数の第１端子２１が並んでいる。第１端子２１と端面１４との間の領域には、切断されたショートリング３Ａ（図３を参照）の一部が残っている。
【００３３】
具体的には、第１端子２１と端面１４との間の領域には、第１端子２１に電気的に接続された第１及び第２接続線３１３，３２２と、第１端子２１に電気的に接続されていない非接続線３２４とが設けられている。このうち、第１接続線３１３は、図３に示すショートリング３Ａの第１接続線３１が切断されたことによりできたものであり、第２接続線３２２及び非接続線３２４は、図３に示すショートリング３Ａの第２接続線３２が切断されたことによりできたものである。
【００３４】
第１接続線３１３は、端面１４まで延び、端面１４に出現している。第１接続線３１３は一直線に延び、一端が第１端子２１に物理的に接続されている。第２接続線３２２も、端面１４まで延び、端面１４に出現している。第２接続線３２２はＬ字状に折れ曲がり、一端が第１接続線３１３に物理的に接続されている。第１接続線３１３が端面１４に出現する出現位置と、第２接続線３２２が端面１４に出現する出現位置とは、左右方向に互いに離れている。
【００３５】
非接続線３２４は、第１端子２１と端面１４との間で折り返され、両端が端面１４に出現している。非接続線３２４は角括弧状に折り返されている。第１接続線３１３とその隣の第１接続線３１３との間には、複数の非接続線３２４が並んでいる。非接続線３２４の各端が端面１４に出現する出現位置は、左右方向に互いに離れている。
【００３６】
上述したようにマザーパネル１００において第２接続線３２を波状にし、第２接続線３２が切断予定線９を複数回横断するように形成することで（図３を参照）、切り出された表示パネル１Ｚにおいて第１端子２１に電気的に接続された第２接続線３２２の左右方向（端面１４に沿った方向）の広がりを抑制することが可能である。
【００３７】
すなわち、ＦＰＣ７の端子７１がずれて配置された場合であっても、端面１４に出現する第２接続線３２２と、隣の第１端子２１に接続されるべきＦＰＣ７の端子７１とが導電粒子８３を介して短絡することを抑制することが可能である。第２接続線３２２は、第１端子２１の左右方向の幅の内側に収まっていることが好ましい。
【００３８】
第２接続線３２２と非接続線３２４との間隔、第１接続線３１３と非接続線３２４との間隔、又は非接続線３２４と隣の非接続線３２４との間隔、特には端面１４における各線の間隔（すなわち、マザーパネル１００において第２接続線３２が切断予定線９を横断する間隔）は、異方性導電膜８に含まれる導電粒子８３の平均粒径の２倍よりも大きいことが好ましい。
【００３９】
すなわち、各線の間隔が狭過ぎる場合、絶縁膜４３，４５を破った導電粒子８３が隣り合う線同士を短絡したり、端面１４まで回り込んだ導電粒子８３が端面１４に出現した隣り合う線同士を短絡するおそれがある。そのような短絡は、導電粒子８３が２つ連なって起こることも想定される。このため、各線の間隔を導電粒子８３の平均粒径の２倍よりも大きくすることが好ましい。
【００４０】
第１接続線３１３、第２接続線３２２及び非接続線３２４（すなわち、マザーパネル１００における第１接続線３１及び第２接続線３２）は、第１端子２１下の絶縁膜４３下に形成されている。具体的には、基板４１上に第１接続線３１３、第２接続線３２２及び非接続線３２４が形成され、これらの線を絶縁膜４３が覆い、第１端子２１が形成され、第１端子２１を絶縁膜４５が覆っている。
【００４１】
第１端子２１は、絶縁膜４３に形成されたスルーホールを通じて第１接続線３１３に接続されている。また、第１端子２１は、絶縁膜４５に形成された開口によって表面に露出している。第１接続線３１３、第２接続線３２２及び非接続線３２４は、例えばポリシリコン等の半導体で形成される。これらは、例えば表示領域１０に設けられるＴＦＴ（薄膜トランジスタ）の半導体層と同時に形成される。
【００４２】
なお、積層構造はこれに限らず、例えば基板４１と絶縁膜４３との間、絶縁膜４３と絶縁膜４５との間、又は絶縁膜４５上に他の絶縁膜が設けられてもよい。
【００４３】
次に、第２例に係るショートリング３Ｂについて説明する。図７は、切断予定線９近傍を拡大した、ショートリング３Ｂの回路図である。図８は、図７に示す表示パネル領域１Ａを切り出した表示パネル１Ｚの縁部１３にＦＰＣ７を取り付けた状態を示す図である。
【００４４】
図７に示すように、本例に係るショートリング３Ｂでは、第２接続線３２が三角波状に形成されている。すなわち、第２接続線３２は、左下から右上に斜めに延びる線分と、左上から右下に斜めに延びる線分とが組み合わされてできている。本例において第２接続線３２の頂部は、三角波状に形成された第２接続線３２のうちの２種類の斜めに延びる線分が突き当たる角である（以下、山部ともいう）。
【００４５】
図８に示すように、表示パネル１Ｚの第１端子２１と端面１４との間の領域には、切断されたショートリング３Ｂの一部が残っている。具体的には、第２接続線３２２は、第１接続線３１３から斜めに延びて端面１４に出現している。非接続線３２４は、Ｖ字状に折り返されて、両端が端面１４に出現している。端面１４における各線の間隔は、上述したように導電粒子８３の平均粒径の２倍よりも大きいことが好ましい。
【００４６】
本例のようにマザーパネル１００において第２接続線３２を三角波状に形成することにより、切り出された表示パネル１Ｚにおいて端面１４から離れるほど、第２接続線３２２と非接続線３２４との間隔、第１接続線３１３と非接続線３２４との間隔、又は非接続線３２４と隣の非接続線３２４との間隔が広がるので、導電粒子８３が絶縁膜４３，４５を破って隣り合う線同士を短絡することを抑制することが可能である。
【００４７】
図９は、変形例に係るショートリング３Ｃを示す回路図である。パネル切断工程では切断予定線９を目標としてマザーパネル１００を切断するが、９Ａ又は９Ｂのように実際に切断される位置が切断予定線９からずれることがある。その場合、上記第２例に係るショートリング３Ｂでは端面１４における各線の間隔が所望の値よりも狭まることがある。
【００４８】
そこで、本例に係るショートリング３Ｃでは、三角波状の第２接続線３２に、上側に他の山部よりも張り出した第１山部３２６と、下側に他の山部よりも張り出した第２山部３２８とを設けている。これにより、実際に切断される位置が切断予定線９からずれても各線の間隔を何れかの位置で確保するようにしている。
【００４９】
以上、本発明の実施形態について説明したが、本発明は上記実施形態に限定されるものではなく、種々の変形実施が当業者にとって可能であるのはもちろんである。
【００５０】
例えば、図１０に示すショートリング３Ｄのように、第２接続線３２を斜め方向に一直線に形成し、切断予定線９を１回のみ横断するようにしてもよい。また、図１１に示すように端子２１，２２を千鳥状に配置してもよいし、第１接続線３１も第２接続線３２と同様に波状に形成してもよい。
【００５１】
本実施形態においては、開示例として有機ＥＬ表示装置の場合を例示したが、その他の適用例として、液晶表示装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることは言うまでもない。
【００５２】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【００５３】
１，１Ａ，１Ｂ  表示パネル領域、１Ｚ  表示パネル、１０  表示領域、１３，１５，１７，１９  縁部、１４  端面、２１  第１端子、２２  第２端子、３１，３１３  第１接続線、３２，３２２  第２接続線、３２４  非接続線、３２６  第１山部、３２７  第２山部、４１  基板、４３，４５  絶縁膜、７  ＦＰＣ（フレキシブルプリント基板）、７１  端子、７３  樹脂基材、８  異方性導電膜、８１  樹脂膜、８３  導電粒子、９  切断予定線、１００  マザーパネル。
【図１】
2019015902.tif 000003
【図２】
2019015902.tif 000004
【図３】
2019015902.tif 000005
【図４】
2019015902.tif 000006
【図５】
2019015902.tif 000007
【図６】
2019015902.tif 000008
【図７】
2019015902.tif 000009
【図８】
2019015902.tif 000010
【図９】
2019015902.tif 000011
【図１０】
2019015902.tif 000012
【図１１】
2019015902.tif 000013